(57)【要約】      （修正有）【課題】害虫を捕獲するときの捕獲操作が容易で効率的に行うことができ、害虫を手に触れることなく処分することができる害虫捕獲器を提供する。【解決手段】一対の把持部が操作可能な把持部材２Ａ，２Ｂを備え、一対の把持部の一方２Ａには害虫を収納する収納容器２が取り付けられ、一対の把持部の他方２Ｂには収納容器に蓋をする蓋体３が取り付けられている。収納容器と蓋体に互いに係止する係止部３ａが設けられているとともに、係止部に沿って切断刃３ｂが収納容器及び／又は蓋体に設けられている。【選択図】図１
0003195974.tif 000002
【実用新案登録請求の範囲】
【請求項１】
一対の把持部が操作可能な把持部材を備え、一対の把持部の一方には害虫を収納する収納容器が取り付けられ、一対の把持部の他方には前記収納容器に蓋をする蓋体が取り付けられていることを特徴とする害虫捕獲器。
【請求項２】
前記収納容器と蓋体に互いに係止する係止部が設けられているとともに、前記係止部に沿うようにして切断刃が前記収納容器及び／又は蓋体に設けられていることを特徴とする請求項１記載の害虫捕獲器。
【請求項３】
前記把持部材の一方に、前記蓋体が収納容器に蓋をすると、前記蓋体と把持部材の一方との連結を解除する連結解除手段を備えることを特徴とする請求項１記載の害虫捕獲器。
【請求項４】
前記一対の把持部がくの字形状を呈して、該くの字形状の中心の軸と該くの字状に沿って内蔵されるバネにより、片手操作で、前記把持部材の一方と他方を開閉操作できることを特徴とする請求項１記載の害虫捕獲器。
【請求項５】
前記収納容器が底部よりも開口の径が大きく、前記一対の把持部材の一方に前記収納容器の開口側を保持する環状部が取り付けられて、前記収納容器が着脱可能に構成されていることを特徴とする請求項１記載の害虫捕獲器。
【請求項６】
前記一対の把持部材の間隔を調整する間隔調整部材が取り付けられていることを特徴とする請求項１ないし５のいずれか１項記載の害虫捕獲器。
【請求項７】
前記収納容器に殺虫用の薬剤や害虫を誘う誘引剤を入れて使用されることを特徴とする請求項１ないし６のいずれか１項記載の害虫捕獲器。
【考案の詳細な説明】
【技術分野】
【０００１】
本考案は、アブラムシ、ケムシ、クモ、カメムシ等の害虫を捕獲する害虫捕獲器に関する。
【背景技術】
【０００２】
従来、畑や庭などの草花や果樹園の果実の手入れをするとき、これらに害虫（アブラムシ、ケムシ、クモ、カメムシ、ガ、ゾウムシ、テントウムシ、イガラ、アオムシ、ウリハムシ、アメリカシロヒトリ、シャクトリムシ、ウツボカズラ）などが付いていることがある。また、草花や野菜などを家の中に搬入したときに、これらに上記害虫が付いていることがある。これを除去する必要があるが、そのため、害虫捕獲器が使用される。害虫駆除用のスプレーで害虫を駆除する場合もあるが、家庭菜園や無農薬栽培や、室内に入り込んだ害虫の場合には、害虫駆除スプレーの使用が躊躇されるので、簡易なもので操作がし易く、かつ、捕獲が確実なものが望まれる。
【０００３】
特許文献としては、特許文献１には、「動物に寄生するノミ類等の害虫を駆除すると共に、動物の毛を梳く動物用殺虫櫛において、底壁から複数の平行な櫛歯が突設された櫛本体と、内側に前記櫛歯を挟み込む把持部を備えたカバー部とから成り、前記櫛本体と前記カバー部の少なくとも一方に害虫防除剤が保持されていることを特徴とする動物用殺虫櫛。」が開示されている（その請求項１）。
また、特許文献２は、一対の挟持具に、アミ２やトリモチ３を取り付けるものが開示されている。
これらを使用すると、畑や庭などの草花、家庭菜園の樹木の作業の際において、ケムシやカメムシなどを発見すると、害虫に手に触れることなく処分することができる。
【先行技術文献】
【特許文献】
【０００４】
【特許文献１】実開平５−２３８７７号公報
【特許文献２】特開２０００−４７０６号公報
【考案の概要】
【考案が解決しようとする課題】
【０００５】
しかしながら、一度ケムシやカメムシなどを捕獲した網（アミ）などがそのまま次に使用されるとすると、衛生的ではない。また、害虫の捕獲する数が多くなったり（葉っぱの裏に付いた多数のアブラムシの場合など）、また、害虫の種類も多いことから、それらの種類ごとに捕獲器を準備することは好ましくない。これらの場合、上記従来文献では対応が難しくなり、また、害虫に手に触れることなく処分・廃棄することも望まれるようになっている。また、従来装置では、葉っぱの裏に付いた多数のアブラムシの場合などを効率よく捕獲することはできなかった。一方、害虫を捕獲したとき.即座に容器に収納しないと、害虫に逃げられる危険があるため、操作性が良く、捕獲効率が高いことが望まれる。
そこで本考案の目的は、害虫を捕獲するときの捕獲操作が容易で効率的に行うことができ、害虫を捕獲したときに、害虫を手に触れることなく処分することができる害虫捕獲器を提供することにある。
【課題を解決するための手段】
【０００６】
本考案の害虫捕獲器は、一対の把持部が操作可能な把持部材を備え、一対の把持部の一方には害虫を収納する収納容器が取り付けられ、一対の把持部の他方には前記収納容器に蓋をする蓋体が取り付けられていることを特徴とする。
本考案によれば、害虫を捕獲するときに、一対の把持部を操作して、収納容器とその蓋体で捕獲するので、捕獲した害虫を即座に収納容器に収納することができるとともに、容易に開閉操作ができて、手を汚さずに廃棄処分することができる。また、一対の把持部材を上下方向に操作することで、害虫を落下させるように捕獲することができ、操作が容易である。
【０００７】
本考案としては、前記収納容器と蓋体に互いに係止する係止部が設けられているとともに、前記係止部に沿うようにして切断刃が前記収納容器及び／又は蓋体に設けられていることを特徴とする。
本考案によれば、一対の把持部を操作して収納容器に蓋体で蓋をすると、前記係止部材で係止した状態になり、蓋体が外れなくなる。また、前記係止部に沿って設けられている切断刃により、前記収納容器に蓋体で蓋をするときに、害虫が付着した葉っぱや花を切断して、収納容器に害虫を入れやすくする。
そして、前記一対の把持部がくの字形状を呈して、該くの字形状の中心の軸と該くの字状に沿って内蔵されるバネにより、片手操作で、前記把持部材の一方と他方を開閉操作できる。
【０００８】
本考案としては、前記把持部材の一方に、前記蓋体が収納容器に蓋をすると、前記蓋体と把持部材の一方との連結を解除する連結解除手段を備えることを特徴とする。連結解除手段としては、吸盤、面ファスナーや磁石等が使用可能である。そして、前記蓋体がプラスチック製であり、前記連結解除手段が吸盤であり該吸盤が前記把持部材の一方に着脱自在に取り付けられていることが好ましい。
本発明によれば、前記把持部材の他方に連結解除手段が設けられていることで、蓋をすると、連結解除手段から蓋体から外れて、収納容器に蓋体で蓋をした状態になる。したがって、後は蓋をした状態の害虫が入った収納容器をそのまま廃棄処分すればよい。前記蓋体がプラスチック製であり、前記連結解除手段が吸盤であると、吸盤の吸着が発揮される。前記収納容器に殺虫用の薬剤や害虫を誘う誘引剤を入れて使用することもできる。
【０００９】
本考案としては、前記収納容器が底部よりも開口側の径が大きく、前記把持部材の一方に前記収納容器の開口側を保持する環状部が取り付けられていることを特徴とする。ここで、環状部とは、環状部分のみではなく、その一部が切断された輪っか状も含むものとして、径の大きさが変更可能なものを含むものである。また、円環状のみならず三角形状や四角形状等を含むものである。
本考案によれば、収納容器を把持部材の一方の環状部分に通過させるようにして環状の膨出部で係止して、収納容器を容易に装着することが出来、取り外すときも逆の操作で容易に取り外すことができる。また、本実施の形態では、半径の大きさが変更可能であるので、収納容器の大きさを問わずに取り付けが可能である。
【００１０】
本考案としては、前記一対の把持部材の間隔を調整する間隔調整部材が取り付けられていることを特徴とする
本考案によれば、前記一対の把持部がくの字形状であるときも、開閉操作バネに抗するように間隔調整部材により、前記くの字状態を保持する。
そして、把持部材の開閉の範囲（把持部材の間隔）をできるだけ開閉口を小さくした状態で維持したり、できるだけ大きな状態で維持したりするなどの調整ができるので、捕獲する害虫の種類や大きさ等に応じて、使い分けが可能である。例えば、できるだけ開閉口を小さくしたままの使用では、害虫を逃がさない間隔にして開閉操作が行なえる。
【考案の効果】
【００１１】
本考案によれば、収納容器とその蓋体で捕獲するので、捕獲した害虫を即座に収納容器に収納することができるとともに、手を汚さずに廃棄処分することができる。また、一対の把持部材を上下方向に操作することで、害虫を落下させるように捕獲するが、これは害虫の中には上方から蓋をするようにすると、下方に移動する（花や葉っぱに付着していると落下する）習性が見られるものが多いことから、その習性に見合った捕獲操作が容易である。そして、収納容器をその大きさが異なるものを交換可能であることから、害虫の種類や大きさに合わせて収納容器を交換して使用することが出来る。また、切断刃を備えて、花や葉っぱごと切断して捕獲したり、また、切断刃や収納容器と蓋体の係止部で害虫を集めたりすることもでき、確実で効率的な捕獲が可能になる。
【図面の簡単な説明】
【００１２】
【図１】本考案の実施形態の害虫捕獲器を示す斜視図である。
【図２】上記実施形態の害虫捕獲器の把持部材を閉じた状態の斜視図である。
【図３】上記実施形態の把持部材の斜視図である。
【図４】上記実施形態の把持部材を開放した状態の斜視図である。
【図５】上記実施形態の環状部の他の例を説明する図である。
【図６】上記実施形態の把持部材の他の例を説明する図である。
【図７】上記実施形態の使用状態を説明する図である。
【図８】上記実施形態の使用状態を説明する図である。
【考案を実施するための形態】
【００１３】
以下、本考案を実施するための一形態について図面を引用しながら説明する。
【００１４】
図１から図４は、本考案の実施形態の害虫捕獲器１を示す斜視図である。
本実施形態の害虫捕獲器１は、把持部材５Ａ，５Ｂと、把持部材５Ａ，５Ｂに装着される収納容器２とその蓋体３から構成されている。把持部材５Ａ，５Ｂは、くの字形状を呈する金属製のもので、くの字形状の角部には、内部にバネが配されており（くの字形状の中心の軸５と、該くの字状に沿って軸を囲むように内蔵されるバネにより）、バネに抗して上下の把持部材５Ａ，５Ｂが閉塞して、手の把持力を弱めると、上下の把持部材５Ａ，５Ｂは開く。
把持部材５Ａ，５Ｂの一方の先端には環状部８が取り付けられている。環状部８は、収納容器２を取り付けるためのものであり、合成樹脂製の容器２や紙製カップなどを、その胴部を環状部８に通して保持する。紙製コップ３の開口部の係止部（膨出部）３ａに対応するように、前記把持部材５Ａ，５Ｂの環状部８に通して引っ掛けるようにしている、開口しており、環状部８の径の大きさが変更可能に構成されている。ここで、上記環状部８は、円環状である必要はなく、四角形でも良く、又、環状部８の一端が切断されて、これにより環状部８の大きさが変更可能なものでも良い（図５（ａ）（ｂ））。また、収納容器２は、四角形状にしたり、先端部を突出させたりすることができる。先端部を突出した液体の排出口とすることが出来る。なお、環状部８には、径の太い部分と半径の細い部分が設けられている。先端側が半径の太い部分であり、これにより、収納容器２がやや斜めに取り付けられて、他方の蓋体３と把持部材で把持するときに丁度重なり合って嵌り合うようにしても良い。
前記把持部材５Ａ，５Ｂの基端側に、くの字形状で嵌合するリング状の間隔調整部材６が取り付けられている。間隔調整部材６は、着脱自在であり、把持部材５Ａ，５Ｂを外周から挟むようにして先端側に向けて移動させて行くと、把持部材５Ａ，５Ｂの先端同士が閉塞する。このまま先端側で閉じたまま、保管用の収納ケースや販売用のケースにコンパクトに収納できる。
【００１５】
収納容器２は、把持部材の一方５Ａに着脱される。本実施の形態では、使い捨てのコーヒーカップ容器（合成樹脂製）が使用されているが、紙製カップでも良い。収納容器２の開口側には、係止部（膨出部）２ａが設けられている。この係止部２ａは、蓋体３の係止部（膨出部）３ａと係止するもので、開口縁３ａが断面で膨出した膨出部として形成されている。蓋体３の開口縁には、係止部（断面で波形）３ａが形成され、その開口縁（係止部）３ａを上方から押し付けると、互いに係止して、収納容器２に対して蓋体３が係止される。上記収納容器２の係止部２ａは、前記把持部材５Ａ，５Ｂの環状部８とも係止して、把持部材５Ａ，５Ｂに対して収納容器３を安定姿勢で保持する。収納容器は、底部よりも上方開口側の径が大きく、落下した害虫は這い上がれないようになっている。また、収納容器２の内側には害虫が這い上がれないフッソ滑り加工をスプレーすると良い。
また、収納容器３に薬剤等の液体を入れても使用できる。例えば、害虫を誘引する誘引剤や、捕獲した害虫を死滅させる薬剤Ｓを入れて使用できる（図８）。ここで、液体（薬剤Ｓ）を排出する排出口を収納容器２や蓋体３に設けても良い。
【００１６】
蓋体３は、把持部材の他方５Ｂに着脱される。本実施の形態では、合成樹脂製の蓋体３が取り付けられている。収納容器２と蓋体３は、使い捨ての紙製カップやコーヒーカップ容器（合成樹脂製）が使用可能である。プラスチック製の蓋体３と紙製カップとを組み合わせても良く、連結解除手段（吸盤）９の吸着機能が働きやすくするものでも良い。蓋体３の開口側には、係止部３ａが設けられている。蓋体３の係止部３ａは、前記収納容器３の係止部（膨出部）３ａと係止するもので、開口縁３ａが断面で波形に形成されている。したがって、収納容器３の係止部（膨出部）３ａに開口縁（係止部）３ａを上方から押し付けると、互いに係止して、収納容器２に対して蓋体３が係止される（図２）。
把持部材５Ａ，５Ｂの他方側５Ｂにも、一方側５Ａと同じく環状部８にしても良いが、蓋体３を上方から押さえ付けるようにするために、把持部材の他方５Ｂに吸盤（連結解除手段）９が取り付けられて、合成樹脂製の蓋体３の上部に対して吸着する構造になっている。なお、連結解除手段９としては、面ファスナーや磁石などを使用して、これらが作用するように把持部材の他方の先端側や蓋体３の上部に他方の面ファスナーや金属を配置すると、上記連結解除手段９の連結解除が可能になる。吸盤９には、把持部材５Ｂの先端に取り付けるための同じゴム製の一体的な取りつけ具９ｂが設けられており、これに把持部材５Ａ，５Ｂを差し込むようにしている。なお、連結解除手段９としては、面ファスナーや磁石などを使用して、これらが作用するように把持部材５Ａ，５Ｂの他方の先端側や蓋体３の上部に他方の面ファスナーや金属を配置すると、上記連結解除手段９の連結解除が可能になる。
上記蓋体３も、四角形状にしたり、先端部を突出させたりすることができる。先端部を突出した液体の排出口とすることが出来る（図５（ａ）（ｂ））。また、蓋体３にも、環状部８を取り付けても、前記環状部と同じ径で挟み込むようにしても良い。蓋体３に、水や空気を排出する排出口が形成されている。この排出口は、網目状（アミ状）に形成されて、液体のみ通過するが、虫は逃げないようになっている。排出口は、収納容器２の液体を排出させるたりに使用する。
【００１７】
前記収納容器２と蓋体３には、切断刃２ｂ，３ｂ取り付けられている。切断刃２ｂ，３ｂは、害虫が付着した花や葉っぱＨなどを切断したり、ケムシやアブラムシＡを掻き出すようにするためのもので、合成樹脂製の薄い板（フィルムシート）を円弧形状に形成したものである。この切断刃２ｂ，３ｂは、前記係止部２ａ，３ａの内側において前記係止部２ａ，３ａに沿って互いに取り付けられている。そして、収納容器２に対して上方から蓋体３で蓋をすると、切断刃２ｂ，３ｂは互いに摺接するようになり、花や葉っぱＨなどを一部切断する。したがって、花や葉っぱＨに付着した害虫をそのまま葉っぱや花ごと捕獲することが出来る。なお、花や葉っぱＨの全周囲を切断しなくとも、一部切断してから引っ張り込むようにすれば、ほとんどの花や葉っぱＨは切断される（図７）。また、上記切断刃２ｂ，３ｂは、多数のアブラムシＡなどを捕獲するときは、掻き取る機能を有する。
【００１８】
次に、本考案の使用状態を説明する。本実施の形態の害虫捕獲器１は、把持部材５Ａ，５Ｂを上下に把持して操作する。すなわち、図１に示すように、片手で、親指を把持部材５Ａ，５Ｂの一方５Ｂに当てて、他の指を他方の把持部５Ａに当てて使用することができ、片手操作で開閉が可能である。捕獲する害虫としては、アブラムシ、ケムシ、クモ、カメムシ、ガ、ゾウムシ、テントウムシ、イガラ、アオムシ、ウリハムシ、アメリカシロヒトリ、シャクトリムシ、ウツボカズラ等の捕獲に好適である（図７）。ケムシを、把持部材５Ａ，５Ｂを操作して、カメムシＧの下方側に収納容器２を位置させ、その上方において、ケムシを蓋体３で上方から覆うように操作すると、カメムシＧは落下して収納容器２に入れられる。収納容器２は、薬剤が入れられているとすると、この薬剤でカメムシＧは死滅する。家庭菜園の花や葉っぱＨにとまったカメムシや、ウツボカズラやケムシなどの害虫は、危険を感じると下方に落ちる生態があり、これを利用して害虫を捕獲すると良い。
【００１９】
次に、アブラムシ等では、葉っぱＨの裏側につくことが多い。そこで、図８に示すように、アブラムシＡが付着した葉っぱＨを挟むようにして、蓋体３で上下にたたくようにすると、アブラムシＡは収納容器３落下する。収納容器３には、薬剤（木酢液、牛乳などでも）Ｓなどを入れて、アブラムシＡの臭いが発生しないように処分しても良い。
ここで、上記切断刃２ｂ，３ｂは多数のアブラムシＡなどを捕獲するときは、掻き取り集めるために使用しても良い。すなわち重ね合わせるが、葉っぱＨなどを切断しないで、挟み込んだ状態にして移動させて、葉っぱＨなどの所定箇所にアブラムシＡを集める。
【００２０】
また、小学生の児童で昆虫採取が苦手な児童には、昆虫採集用に使用することもできる。この場合は、カップ２の中に昆虫を誘うための誘引剤を入れて、わなを仕掛けるようにして、葉っぱＨで隠すようにしておき、朝早くや夜のうちに仕掛けておき、カブトムシやその幼虫が葉っぱＨに乗っている場合などに、そっと把持部材５Ａ，５Ｂを閉塞すると、切断刃２ｂ，３ｂで葉っぱＨごと閉じて捕獲する。なお、蓋体３に、水や空気を排出する排出口が形成されている。この排出口は、網目状（アミ状）に形成されて、液体のみ通過するが、昆虫は逃げないようになっている。前記蓋体の排出口は、収納容器２の液体を排出させるものであるが、昆虫採集に使用するとは、昆虫の空気孔にもなる。
【００２１】
次に、本実施の形態では、応用例としては、一対の把持部に連結解除手段９を介して伸縮自在に構成すること可能である。長いものを使用したり、図６に示すように、延長可能な把持部材５Ａ，５Ｂを使用すれば、すなわち、把持部材５Ａ，５Ｂの一方は、先端に向かってその径が小さなものが、伸縮アンテナのように伸張と縮小が可能な２Ｂ１から２Ｂ３から構成されている。把持部材５Ａ，５Ｂは、その上下一対のいずれも延長可能にできるが、上方側５ｂのみ延長可能であることを利用して、前後方向に動かして、カップ先端側の掻き取り（切断刃兼用）３ｂにより、収納容器２に対して掻き集めることができる。また、これとは逆に、葉っぱＨを介して、蓋体３の位置はそのままで、収納容器２を前後に動かして、葉っぱＨの裏側に付いた害虫（アブラムシＡ）などを効率的に捕獲することができる（図８）。
【００２２】
以上、本実施の形態では害虫捕獲器１では、一対の把持部の長さが比較的短いもので説明したが、長いものを使用すれば、遠い位置の害虫を捕獲することが出来るなど、その使用に応じて種種変更使用可能である。また、把持部材５Ａ，５Ｂの操作は、上下動させる例で説明したが、これに限らず左右方向や斜め方向などあらゆる角度でも使用可能である。
【符号の説明】
【００２３】
１                          害虫捕獲器、
２                          収納容器、
２ａ                        係止部（膨出部）、２ｂ  切断刃（掻き取り兼用）、
３                          蓋体（紙カップ、カップ容器）、
３ａ                        係止部（開口縁部）、３ｂ  切断刃（掻き取り兼用）、
５Ａ，５Ｂ                  把持部（一対の把持部）、
６                          間隔調整部、
７                          掛け金具兼用自立手段、
８                          環状部、
９                          連結解除手段（吸盤）、
Ａ                          害虫（アブラムシ等）、Ｇ  害虫（カメムシ等）
【図１】
0003195974.tif 000003
【図２】
0003195974.tif 000004
【図３】
0003195974.tif 000005
【図４】
0003195974.tif 000006
【図５】
0003195974.tif 000007
【図６】
0003195974.tif 000008
【図７】
0003195974.tif 000009
【図８】
0003195974.tif 000010